(57)【要約】【課題】  自己保持型バイメタルで形成された導電ばねが反転変位してもランプピンとの位置関係を保つことができるランプソケットを供給することにある。【解決手段】ソケット本体１０と、バイメタルで形成されバイメタルが所定の温度以下のときはランプピンに接触して導通をとりバイメタルが所定の温度を越えたときには前記ランプピンと非接触となる一対の導電ばね２０と、を備えたランプソケットにおいて、ソケット本体１０にランプピンを保持する保持部１３を設けたことを特徴とするランプソケット。【選択図】        図１
2006236755.tif 000002
【特許請求の範囲】
【請求項１】
ソケット本体と、バイメタルで形成されバイメタルが所定の温度以下のときはランプピンに接触して導通をとりバイメタルが所定の温度を越えたときには前記ランプピンと非接触となる一対の導電ばねと、を備えたランプソケットにおいて、前記ソケット本体にランプピンを保持する保持部を設けたことを特徴とするランプソケット。
【請求項２】
前記ソケット本体の前面の中央に穴部とこの穴部の内周面から外側面に延びる前面側に開口したランプピン挿入溝とを設け、前記保持部を前記穴部に回転自在に装着され前記ランプピン挿入溝より挿入されたランプピンをガイドするように前記穴部の径方向に設けられたランプピン案内部を有する
回転保持部とするとともに、この回転保持部は、ランプピン案内部にランプピンを挿入してランプを回転させたときに前記ランプピン案内部が前記ランプピン挿入溝と連通する位置と連通しない位置とに回転しうるものであり、回転保持部に装着されたランプピンがランプの装着位置にあるときに前記導電ばねはランプピンの周面に接触して導通をとるものであることを特徴とする請求項１記載のランプソケット。
【発明の詳細な説明】
【技術分野】
【０００１】
本発明は、ランプピンを有するランプを装着するランプソケットに関する。
【背景技術】
【０００２】
この種のランプソケットとしては、実開昭６１−１９４２８３号公報に開示されたものがある。このランプソケットは、過電流で反転変位しランプピンと非接触になる自己保持型バイメタルで形成された導電ばねと、この導電ばねの反転変位を復帰しランプピンに接触可能状態にする復帰手段と、を備えたものである。
【０００３】
このものは、ランプ（特に放電灯）の寿命末期に導電ばねに過電流が流れ導電ばねが発熱すると、自己保持型バイメタルで形成された導電ばねが反転変位しランプピンと非接触になる。その結果ランプピンへの電流は遮断されランプが消灯するものとなる。
【特許文献１】実開昭６１−１９４２８３号公報
【発明の開示】
【発明が解決しようとする課題】
【０００４】
ところが上記したランプソケットは、導電ばねに過電流が流れ自己保持型バイメタルで形成された導電ばねが反転変位しランプピンと非接触になると、ランプソケットは、ランプピンとの保持が保てなくなりランプピンとの位置関係がずれる場合があった。
【０００５】
本発明は、上記事由に鑑みてなしたもので、その課題は、自己保持型バイメタルで形成された導電ばねが反転変位してもランプピンとの位置関係を保つことができるランプソケットを供給することにある。
【課題を解決するための手段】
【０００６】
本発明の請求項１に係るランプソケットは、ソケット本体と、バイメタルで形成されバイメタルが所定の温度以下のときはランプピンに接触して導通をとりバイメタルが所定の温度を越えたときには前記ランプピンと非接触となる一対の導電ばねと、を備えたランプソケットにおいて、前記ソケット本体にランプピンを保持する保持部を設けたことを特徴とする。
【発明の効果】
【０００７】
請求項１記載の発明にあっては、ソケット本体と、バイメタルで形成されバイメタルが所定の温度以下のときはランプピンに接触して導通をとりバイメタルが所定の温度を越えたときには前記ランプピンと非接触となる一対の導電ばねと、を備えたランプソケットにおいて、前記ソケット本体にランプピンを保持する保持部を設けたことにより、バイメタルで形成された導電ばねがランプピンと非接触となってもランプピンは、保持部で保持されるので、ランプピンとランプソケットとの位置関係を保つことができる。
【発明を実施するための最良の形態】
【０００８】
（実施の形態）
本発明の実施の形態を図１〜図６を用いて説明する。図１はランプソケットの斜視図、図２はこのものの分解斜視図、図３はこのものにランプを装着したときの側面図、図４は図３のＡ−Ａ´面を見た断面図、図５は図４のものを９０度回転させたときの図、図６はこのものを切り欠いた図で、図６（ａ）は通常の使用状態を示した図、図６（ｂ）は導電ばねのバイメタルが作動したときの図である。
【０００９】
このランプソケットは、樹脂材料で形成されたソケット本体１０と、バイメタルで形成されバイメタルが所定の温度以下のときはランプピンに接触して導通をとりバイメタルが所定の温度を越えたときにはランプピンと非接触となる一対の導電ばね２０と、を備えて構成されている。
ソケット本体１０は、導電ばね２０が装着されるソケットボディ１２と、ソケットボディ１２に装着された導電ばねを覆うようにしてソケットボディ１２に取付けられるソケットカバー１１と、ランプピンを保持する保持部である回転保持部１３と、を備えている。
【００１０】
ソケットボディ１２は、平板状のベース部と、その中央に設けられた保持部１３を装着するための取り付け部と、で形成されている。取付け部は、保持部１３の装着が容易になるように樋状の柱がその開口部分を対向するように設けられている。
ソケットカバー１１は、前面の中央に設けられた穴部１１ａと、この穴部１１ａの内周面から外側面に延びる前面側に開口したランプピン挿入溝１１ｂと、を備えている。
【００１１】
回転保持部１３は、穴部１１ａに回転自在に装着されランプピン挿入溝１１ｂより挿入されたランプピンをガイドするように穴部１１ａの径方向に設けられたランプピン案内部１３ａを有する。そして、この回転保持部１３は、ランプピン案内部１３ａにランプピンを挿入してランプを回転させたときにランプピン案内部１３ａがランプピン挿入溝１１ｂと連通する位置と連通しない位置とに回転しうるものであり、回転保持部１３に装着されたランプピンがランプの装着位置にあるときに導電ばね２０はランプピンの周面に接触して導通をとるものである。（ランプピン案内部１３ａにランプピンを挿入した状態を図５に示す。）
【００１２】
導電ばね２０は、線膨張率の異なる金属薄板を張り合わせて形成されたバイメタルである。そして、この導電ばね２０は、バイメタルが所定の温度以下のときはランプピンに接触して導通をとり、バイメタルが所定の温度を越えたときにはランプピンと非接触となるようにソケット本体１０に収納されている。
【００１３】
そして、このように構成されたランプソケットは、一対を一組として、お互いのランプソケットの前面側が対向するように所定の間隔を開けて、例えば照明器具の内部に取付けて使用される。
【００１４】
次に、前述したように照明器具の内部に取付けられたランプソケットへのランプの装着の仕方を説明する。まず、ランプピン挿入溝１１ｂよりランプピンを挿入し、さらにランプピン案内部１３ａにランプピンを挿入する。（図４参照）そして、この状態でランプを９０度回転させると、ランプピンは、導電ばね２０の凸部を乗り越えて導電ばね２０にはまり込み、ランプの装着が完了する。（図５参照）
これにより左右のランプピンは、例え、ランプピン案内部１３ａ内を移動してもソケットカバー１１の内側面でその移動が妨げられるものとなる。
【００１５】
次に、このものの寿命末期に導電ばね２０に過電流が流れ導電ばねが発熱した状態を説明する。このときには、自己保持型バイメタルで形成された導電ばね２０は、反転変位するのでランプピンと非接触になる。（図６（ｂ）参照）そして、ランプピンと導電ばね２０とは、非導通となるので導電ばねの発熱も収まるものとなる。
この状態においてランプピンは、ランプピン案内部１３ａ内を移動するような状態になるが、前述したように、例え、ランプピン案内部１３ａ内を移動してもソケットカバー１１の内側面でその移動が妨げられるものとなり、ランプソケットからは落下しないものとなる。
【００１６】
この実施の形態によると、ソケット本体１０と、バイメタルで形成されバイメタルが所定の温度以下のときはランプピンに接触して導通をとりバイメタルが所定の温度を越えたときにはランプピンと非接触となる一対の導電ばね２０と、を備えたランプソケットにおいて、ソケット本体１０にランプピンを保持する保持部を設けたことにより、バイメタルで形成された導電ばね２０がランプピンと非接触となってもランプピンは、保持部で保持されるので、ランプピンとランプソケットとの位置関係を保つことができるものとなる。
【図面の簡単な説明】
【００１７】
【図１】本発明の実施の形態に係る図で、ランプソケットの斜視図である。図３はこのもの、図４は、図５は、図６はこのものを
【図２】同上のランプソケットの分解斜視図である。
【図３】同上のランプソケットにランプを装着したときの側面図である。
【図４】同上のランプソケットにおいて図３のＡ−Ａ´面を見た断面図である。
【図５】同上のランプソケットにおいて図４のものを９０度回転させたときの図である。
【図６】同上のランプソケットを切り欠いた図で、図６（ａ）は通常の使用状態を示した図、図６（ｂ）は導電ばねのバイメタルが作動したときの図である。
【符号の説明】
【００１８】
１０    ソケット本体
１１    ソケットカバー
１１ａ  穴部
１１ｂ  ランプピン挿入溝
１３    保持部（回転保持部）
１３ａ  ランプピン案内溝
２０    導電ばね
【図１】
2006236755.tif 000003
【図２】
2006236755.tif 000004
【図３】
2006236755.tif 000005
【図４】
2006236755.tif 000006
【図５】
2006236755.tif 000007
【図６】
2006236755.tif 000008